(57)【要約】【課題】部分的な磁気情報の消去漏れを回避できる消磁装置１を提供し、利用者の満足度を向上させる。【解決手段】コイル１２に電圧を印加して磁界を発生させ、該磁界によってハードディスク３９の磁気情報を消去する消磁装置１に、ハードディスク３９を収容する内ケース３３と、該内ケース３３を収容する外ケース８とを備え、外ケース８に、内ケース３３をシーソー状に揺動可能に支持する支持軸２３と、内ケース３３が略平行な状態に該内ケース３３の一端を載置支持できる支持突起２５とを備え、コイル１２を、支持軸２３から支持突起２５の方向に磁界を発生させる構成とし、コイル１２に対して正方向の電圧と逆方向の電圧を順次切り替えて印加する極性反転スイッチ４２を備えた。【選択図】図３
2007220200.tif 000002
【特許請求の範囲】
【請求項１】
コイルに電圧を印加して磁界を発生させ、該磁界によって磁気記憶媒体の磁気情報を消去する磁気情報消去装置であって、
前記磁気記憶媒体を収容する内ケースと、
該内ケースを収容する外ケースとを備え、
前記外ケースに、
前記内ケースをシーソー状に揺動可能に支持する支持部と、
前記内ケースが略平行な状態に該内ケースの一端を載置支持できる載置部とを備え、
前記コイルを、前記支持部から前記載置部の方向に磁界を発生させる構成とし、
前記コイルに対して正方向の電圧と逆方向の電圧を順次切り替えて印加する切替手段を備えた
磁気情報消去装置。
【請求項２】
前記内ケースの内面サイズを、前記磁界の印加方向へ前記磁気記憶媒体より大きく構成した
請求項１記載の磁気情報消去装置。
【請求項３】
前記磁界の印加方向における前記外ケースと前記内ケースの互いの対向面の少なくとも一方に緩衝材を備えた
請求項１または２記載の磁気情報消去装置。
【請求項４】
前記切替手段は、正方向に電圧を印加する第１磁界発生処理、逆方向に電圧を印加する第２磁界発生処理、および正方向に電圧を印加する第３磁界発生処理を順次実行する構成にした
請求項１、２または３記載の磁気情報消去装置。
【発明の詳細な説明】
【技術分野】
【０００１】
この発明は、例えばハードディスクなどの磁気記憶媒体に記憶された磁気情報を消去するような磁気情報消去装置に関する。
【背景技術】
【０００２】
従来、磁気を用いて情報を記憶するハードディスクや磁気テープなどの磁気記憶媒体が提供されている。これらの磁気記憶媒体は、磁性体を磁化させてデータを記憶するものである。
【０００３】
この磁気記憶媒体が記憶している磁気情報を消去する装置として、ハードディスク装置の記録データ消去装置が提案されている（特許文献１参照）。この記録データ消去装置は、コイルの軸内にハードディスクを挿入し、このコイルに電圧を印加して磁束密度が６０００ガウスから１５０００ガウスの磁界を発生させてハードディスクに記憶された磁気情報を消去するものである。
【０００４】
また、複数のコイルを並設し、順番に電圧を印加して、前方部、中央部、後方部と順番に磁気情報を消去する磁気データ消去装置も提案されている（特許文献２参照）。この磁気データ消去装置は、２５００エルステッドを超える範囲の磁場を発生させ、この磁場で磁気情報を消去するものである。
【０００５】
ここで、ハードディスク等の磁気記憶装置に記憶された磁気情報を消去する場合、内部に設けられた磁気ディスクの一半径方向に磁界をかけると、回転軸の後方部分に充分な磁力をかけられず、磁気情報が部分的に残ることが考えられる。  
しかし、上述した各特許文献は、部分的な磁気情報の消去漏れについて考慮されていなかった。
【０００６】
【特許文献１】登録実用新案第３０８８６０８号公報
【特許文献２】特開２００５−７８７１３号公報
【発明の開示】
【発明が解決しようとする課題】
【０００７】
この発明は、上述の問題に鑑み、部分的な磁気情報の消去漏れを回避できる磁気情報消去装置を提供し、利用者の満足度を向上させることを目的とする。
【課題を解決するための手段】
【０００８】
この発明は、コイルに電圧を印加して磁界を発生させ、該磁界によって磁気記憶媒体の磁気情報を消去する磁気情報消去装置であって、前記磁気記憶媒体を収容する内ケースと、該内ケースを収容する外ケースとを備え、前記外ケースに、前記内ケースをシーソー状に揺動可能に支持する支持部と、前記内ケースが略平行な状態に該内ケースの一端を載置支持できる載置部とを備え、前記コイルを、前記支持部から前記載置部の方向に磁界を発生させる構成とし、前記コイルに対して正方向の電圧と逆方向の電圧を順次切り替えて印加する切替手段を備えた磁気情報消去装置であることを特徴とする。
【発明の効果】
【０００９】
この発明により、部分的な磁気情報の消去漏れを回避できる。
【発明を実施するための最良の形態】
【００１０】
この発明の一実施形態を以下図面と共に説明する。  
図１は、消磁装置１の斜視図を示し、図２は消磁装置１の内部構成の斜視図を示し、図３はトレイ５の縦断右側面図を示し、図４はトレイ５の平面図を示す。
【００１１】
消磁装置１は、長方形のボックス状に形成された筐体２を有しており、筐体２の正面中央に開口部４が備えられ、その左上に操作ボタン３が備えられている。  
開口部４は、内部に収納されているトレイ５の表面カバー７によって塞がれており、この表面カバー７の中央に、手前へ突出する取っ手６が設けられている。
【００１２】
図２に示すように、トレイ５は、表面カバー７の裏側に、上面を開放したボックス状の外ケース８が固着されている。この外ケース８は、前後方向に長く、左右の幅方向が狭い略直方体形状に樹脂部材（非金属部材）で形成されている。
【００１３】
筐体２の正面の開口部４（図１参照）の内部側には、トレイ５の外ケース８の挿入および抜き取りを許容する挿入穴部１１が設けられている。この挿入穴部１１の周囲には、トレイ５を挿入する方向へ軸Ｓの方向を向けてコイル１２が配置されている。したがって、挿入穴部１１は、コイル１２の軸内に位置して設けられている。  
コイル１２は、正面から背面へ向かう磁界方向Ｇの磁力を発生させることができ、またこの逆向きの磁界も発生させることができる。
【００１４】
図３の縦断右側面図に示すように、外ケース８の正面板８ａの内面側（背面）には、上下左右全面に厚み一定の緩衝材２１が貼着されている。また、外ケース８の底面板８ｂの内面側（上面）には、前後左右全面に厚み一定の緩衝材２２が貼着されている。
【００１５】
さらに、外ケース８の背面板８ｃの内面側には、底部より少し上方に正面へ向けて略水平に突出する樹脂部材（非金属部材）の支持突起２５が設けられ、該支持突起２５より上方部分に、上下左右全面に厚み一定の緩衝材２６が貼着されている。
【００１６】
外ケース８の左右の側面板８ｄには、前後方向略中央で上下方向中央より下方位置に、左右に架設された樹脂部材（非金属部材）の支持軸２３が設けられている。この支持軸２３の上方には、上面を開放したボックス状の内ケース３３が載置されている。
【００１７】
この支持軸２３の上端は、前記支持突起２５の上端と同一の高さになるように構成されている。このため、支持軸２３と支持突起２５の上面で、内ケース３３を略水平に保持できる。
【００１８】
外ケース８の左右の側面板８ｄの内面略中央部には、ヘ字型の溝で形成される規制ガイド２４が左右対称に設けられている。
【００１９】
内ケース３３は、前後方向に長く、左右の幅方向が狭い略直方体形状に樹脂部材（非金属部材）で形成されており、ハードディスク３９を収容できる大きさに形成されている。さらに言えば、内ケース３３は、内面の大きさが、ハードディスク３９より前後方向および上下方向に大きく形成されている。これにより、内ケース３３内でハードディスク３９が前後動できる。また、ハードディスク３９の上に載置した緩衝材３１が内ケース３３の外に落ちないようにできる。
【００２０】
内ケース３３の左右の両側面の外面には、中央に規制突起３４が左右対称に設けられている。この規制突起３４は、規制ガイド２４内に嵌まり込んでおり、規制突起３４が規制ガイド２４内でのみ移動できるように内ケース３３の移動範囲が規制されている。
【００２１】
図５は、消磁装置１の回路ブロック図を示す。  
消磁装置１は、交流電源４５に接続されており、この交流電源４５の後段には、操作ボタン３（図１参照）に連動する操作スイッチ４６が設けられ、その後段には整流回路４４が設けられている。この整流回路４４は、ダイオードブリッジ等によって交流電圧を全波整流する回路である。なお、該整流回路４４には、適宜の電源トランス等も設けても良い。
【００２２】
整流回路４４の後段には、コンデンサ４３とコイル１２とが並列に接続されており、コンデンサ４３とコイル１２との間に、極性を反転する極性反転スイッチ４２と消磁スイッチ４１が設けられている。極性反転スイッチ４２は、図示省略する切替制御回路によって切り替え制御され、コンデンサ４３からコイル１２に放電する極性方向を正逆に切り替える。また消磁スイッチ４１は、図示省略する切替制御回路とタイマ回路によってＯＮ／ＯＦＦ制御される。
【００２３】
図６は、消磁装置１が実行する動作のフローチャートを示す。  
消磁装置１は、操作ボタン３が押下されるまで待機し（ステップＳ１：ＮＯ）、操作ボタン３が押下されると（ステップＳ１：ＹＥＳ）、コンデンサ４３の充電を開始する（ステップＳ２）。
【００２４】
コンデンサ４３が充分充電されると、タイマ回路により、コンデンサ４３に逐電した電圧を第１方向（図５の矢印Ａ方向）に放電せる（ステップＳ３）。このとき、図３に示した矢印Ａ方向に磁界が流れ、図７（Ａ）の説明図に示すように、ハードディスク３９内の磁気ディスク３９ａは影領域Ｅ１以外の部分で磁界Ｇａにより消磁される。つまり、磁気ディスク３９ａの中心には回転駆動部３９ｂが設けられているため、この回転駆動部３９ｂの後方については影となって充分な磁界が照射されず、磁気情報を消去しきれない可能性のある影領域Ｅ１ができる。
【００２５】
また、金属製であるハードディスク３９は、磁界Ｇａによって力を受け、図８の縦断右側面図に示すように背面側へ移動し、支持軸２３と支持突起２５の上に略水平に支持される。このため、ハードディスク３９および内ケース３３は、図３に示したように約３０°前方下がりに傾斜した状態から、図８に示すように略水平状態に移行し、内ケース３３の前方にあったハードディスク３９が内ケース３３の後方に移動する。また、規制突起３４の位置は、規制ガイド２４の正面側の端部から背面側の端部に移動する。
【００２６】
このとき、内ケース３３の背面が外ケース８の背面板８ｃの内側に衝突することになるが、緩衝材２６によって衝撃がやわらげられる。さらに、ハードディスク３９が内ケース３３の中で後方に移動することで、ハードディスク３９の前方上部に載置されていた球形の緩衝材３１がハードディスク３９の前方に出来た内ケース３３内の隙間に落ちて嵌まり込む。
【００２７】
この緩衝材３１は、球形に限らず適宜の形状のものを採用できるが、球形のものを採用することで、嵌まり込む際の姿勢によらず内ケース３３の中でハードディスク３９の位置を前後動させないように規制できる。
【００２８】
また、コンデンサ４３による電圧の印加は、消磁スイッチ４１のＯＮによって急速に行われるが、コンデンサ４３とコイル１２とが共振回路を構成しているため、コイル１２に流れる電流は正逆に入れ替わりながら時間の経過につれて波高値が徐々に低下する減衰交番電流となる。このため、コイル１２により発生する磁界は、磁極が正逆交互に入れ替わりながら磁束密度が徐々に低下する減衰交番磁界となる。したがって、ハードディスク３９内の磁気ディスク３９ａのうち減衰交番磁界を受けた領域（影領域Ｅ１以外の全領域）が消磁され、その領域の磁気情報が消去される。
【００２９】
続いて、消磁装置１は、再度コンデンサ４３の充電を開始する（ステップＳ４）。そして、コンデンサ４３が充分充電されると、切替制御回路によって極性反転スイッチ４２を切り替えて極性を反転し、タイマ回路により、コンデンサ４３に逐電した電圧を第２方向（図５の矢印Ｂ方向）に放電せる（ステップＳ５）。
【００３０】
このとき、図８に示した矢印Ｂ方向に磁界が流れ、図７（Ｂ）の説明図に示すように、ハードディスク３９内の磁気ディスク３９ａは影領域Ｅ２以外の部分で磁界Ｇｂにより消磁される。また、磁界Ｇｂによって金属製であるハードディスク３９が図９の縦断右側面図に示すように前面側へ移動する。このとき、緩衝材３１があるため、ハードディスク３９は内ケース３３の中で前面側へ移動せず、内ケース３３が全体として移動する。この内ケース３３は、外ケース８の正面板８ａに衝突するが、緩衝材２１によって衝撃がやわらげられる。
【００３１】
また、内ケース３３が前面側へ移動することにより、内ケース３３の背面側端が支持突起２５から外れる。このとき、ハードディスク３９は内ケース３３の中で後方に位置しているため、支持軸２３よりも後方に重心が位置し、内ケース３３が重力によって後ろ下がりに回転し、約３０°後ろ下がりの状態で支持軸２３に支持される。このとき、規制突起３４の位置は、規制ガイド２４の中央の屈曲部分に位置する。
【００３２】
続いて、消磁装置１は、再度コンデンサ４３の充電を開始する（ステップＳ６）。そして、コンデンサ４３が充分充電されると、切替制御回路によって極性反転スイッチ４２を切り替えて再度極性を反転して最初の状態に戻し、タイマ回路により、コンデンサ４３に逐電した電圧を第３方向（図５の矢印Ｃ方向）に放電せる（ステップＳ７）。
【００３３】
このとき、図９に示した矢印Ｃ方向に磁界が流れ、図７（Ｃ）の説明図に示すように、ハードディスク３９内の磁気ディスク３９ａは影領域Ｅ３以外の部分で磁界Ｇｃにより消磁される。また、磁界Ｇｃによって金属製であるハードディスク３９が内ケース３３と共に背面側へ移動するが、緩衝材２６があるため、衝撃がやわらげられる。
【００３４】
以上の動作により、ハードディスク３９に対して、３方向から順番に磁界を照射し、磁気ディスク３９ａに記憶された磁気情報を消去することができる。磁気ディスク３９ａには、回転駆動する構造のために中心に回転駆動部３９ｂが設けられており、１方向の磁界照射ではこの回転駆動部３９ｂによって磁界の影が生じるが、他の方向からの磁界照射によってこの影部分についても磁界を照射し、磁気情報を確実に消去できる。この実施形態では、３方向からの磁界の照射により、図１０の説明図に示すように、影領域Ｅ１，Ｅ２，Ｅ３の全てが重なる領域をゼロにでき、磁気情報を確実に消去できる。
【００３５】
また、この実施形態では、金属製であるハードディスク３９が磁界によって受ける力を利用して、磁界の照射方向を正逆に切り替えるだけで、ハードディスク３９に対して磁界を照射する角度を切り替えることができる。このため、例えばステッピングモータを設けてハードディスク３９の角度を所定角度ずつ変更する場合に比べて安価に製造することができる。また、ステッピングモータを接続する回路や回転角度を制御する回路も不要となるため、回路構成を簡易化でき、この点でもコストダウンを図ることができる。
【００３６】
さらに、角度変更のためにステッピングモータに電流を流す間はコンデンサ４３を充電できないといったこともないため、短時間で磁気情報の消去を完了することができる。
【００３７】
その上、ハードディスク３９の磁気情報を消去するための強力な磁界によってステッピングモータやこれを制御する回路が影響を受けるといったことを考慮する必要がない。このため、ステッピングモータやこれを制御する回路に対して防磁するといった必要がなく、消磁装置１の設計を簡易化することができると共にコストダウンを図ることができる。
【００３８】
なお、以上の実施形態では、規制ガイド２４と規制突起３４により外ケース８の中で内ケース３３が移動する範囲を規制したが、規制ガイド２４と規制突起３４を設けず、ある程度自由に内ケース３３が移動できるように構成しても良い。  
また、ハードディスク３９に限らず、ビデオテープなど他の磁気媒体の磁気情報を消去する際に利用してもよい。
【００３９】
また、交流電圧を全波整流して直流を用いる構成としたが、これに限らず交流を用いる構成としてもよい。この場合でも、コイル１２に流れる電流を正逆に入れ替わる交番電流とすることができ、コイル１２により発生する磁界を磁極が正逆交互に入れ替わる交番磁界とすることができる。そして、印加する交流電圧を徐々に減衰すれば、コイル１２に流れる電流を減衰交番電流とすることができ、コイル１２により減衰交番磁界を発生させることができる。
【００４０】
この発明の構成と、上述の実施形態との対応において、
この発明の磁気情報消去装置は、実施形態の消磁装置１に対応し、
以下同様に、
支持部は、支持軸２３に対応し、
載置部は、支持突起２５に対応し、
磁気記憶媒体は、ハードディスク３９に対応し、
切替手段は、極性反転スイッチ４２に対応し、
第１磁界発生処理は、ステップＳ３に対応し、
第２磁界発生処理は、ステップＳ５に対応し、
第３磁界発生処理は、ステップＳ７に対応するも、
この発明は、上述の実施形態の構成のみに限定されるものではなく、多くの実施の形態を得ることができる。
【図面の簡単な説明】
【００４１】
【図１】消磁装置の斜視図。
【図２】消磁装置の内部構成の斜視図。
【図３】トレイの縦断右側面図。
【図４】トレイの平面図。
【図５】消磁装置の回路ブロック図。
【図６】消磁装置が実行する動作のフローチャート。
【図７】磁界の照射方向の説明図。
【図８】トレイの縦断右側面図。
【図９】トレイの縦断右側面図。
【図１０】磁界照射の影領域の説明図。
【符号の説明】
【００４２】
１…消磁装置
８…外ケース
１２…コイル
２１，２６…緩衝材
２３…支持軸
２５…支持突起
３３…内ケース
３９…ハードディスク
４２…極性反転スイッチ
Ｇａ，Ｇｂ，Ｇｃ…磁界
【図１】
2007220200.tif 000003
【図２】
2007220200.tif 000004
【図３】
2007220200.tif 000005
【図４】
2007220200.tif 000006
【図５】
2007220200.tif 000007
【図６】
2007220200.tif 000008
【図７】
2007220200.tif 000009
【図８】
2007220200.tif 000010
【図９】
2007220200.tif 000011
【図１０】
2007220200.tif 000012